【手続補正書】
【提出日】平成15年3月5日(2003.3.5)
【手続補正１】
【補正対象書類名】明細書
【補正対象項目名】特許請求の範囲
【補正方法】変更
【補正の内容】
【特許請求の範囲】
【請求項１】
電子画像ファイルに関連するオブジェクトファイルを電子的にパッケージするパッケージングシステムであって、その電子画像ファイルが、前記画像ファイルを独自に識別する識別情報を有し、前記パッケージングシステムが、
送信すべきメッセージを発生し、送信のために前記メッセージをオブジェクトに添付するよう構成したメッセージ発生器を具え、
そのメッセージ発生器が、アタッチメント識別子を発生するヘッダ発生器を具え、そのアタッチメント識別子が、前記メッセージに添付したオブジェクトのタイプを識別するオブジェクト識別子と、独自に画像ファイルを識別する識別情報の一部を具える独自の識別子とを有することを特徴とするパッケージングシステム。
【請求項２】
前記オブジェクトファイルがＤＩＣＯＭ画像ファイルを具え、前記識別情報が画像独自の識別子を具え、前記識別情報の一部が前記画像独自の識別子を具えることを特徴とする請求項１記載のパッケージングシステム。
【請求項３】
前記オブジェクトファイルがオーバレイ注釈ファイルを具え、前記識別情報が、前記オーバレイ注釈ファイルに関連した画像ファイルに対応する画像独自の識別子を具え、前記識別情報の一部が、独自のオーバレイファイルと、前記オーバレイ注釈ファイルに関連した前記画像ファイルに対応する前記画像独自の識別子とを具えることを特徴とする請求項１記載のパッケージングシステム。
【請求項４】
前記画像が少なくとも検査の一部を形成し、前記オブジェクトファイルが、前記検査に関連したレポートを具え、前記識別情報が、前記レポートに関連した検査に対応する検査独自の識別子を具え、前記識別情報の一部が、独自のレポート識別子と、前記レポートに関連した前記検査に対応する前記検査独自の識別子とを具えることを特徴とする請求項１記載のパッケージングシステム。
【請求項５】
リモートビューアを具える医療画像ビューイングシステムであって、
インタフェースを通じて中央データベースから電子画像ファイルを受信するよう構成され、その画像ファイルが、画像データ及びキー情報を有する、画像受信機と、
前記画像データ及び前記キー情報を格納し及び関連させるように構成した関連のデータベースと、
前記画像ファイルからキー情報を抽出するとともに、前記画像データ及びキー情報を前記関連のデータベースに格納し及び関連させるよう構成した抽出機と、
前記ビューアにアタッチメントを入力するよう構成され、そのアタッチメントを前記画像ファイルに関連させる、入力装置と、
前記リモートビューアから前記中央データベースまでの配送を行うために、前記アタッチメントを送信可能なパッケージでパッケージするよう配置され、前記アタッチメントを、前記中央データベースの画像ファイルに関連させるパッケージングシステムとを具えることを特徴とする医療画像ビューイングシステム。
【請求項６】
前記パッケージが前記キー情報を有することを特徴とする請求項５記載の医療画像ビューイングシステム。
【請求項７】
前記キー情報が、前記画像ファイルに対応する独自の画像識別子を具えることを特徴とする請求項６記載の医療画像ビューイングシステム。
【請求項８】
前記画像ファイルを、検査の少なくとも一部とし、前記キー情報が、前記検査に対応する独自の検査識別子を更に具えることを特徴とする請求項５記載の医療画像ビューイングシステム。
【請求項９】
前記アタッチメントを記憶して、前記アタッチメントを前記関連のデータベースで前記画像ファイルに関連させるアタッチメント記憶装置を更に具えることを特徴とする請求項５記載の医療画像ビューイングシステム。
【請求項１０】
前記アタッチメントを、オーバレイとテキストレポートのうちの少なくとも一つとしたことを特徴とする請求項５記載の医療画像ビューイングシステム。
【請求項１１】
前記受信機を、前記画像ファイルを後処理で受信するように構成し、前記画像受信機が、前記中央データベースによって送信するために待機する画像ファイルを要求するように構成されたデータリクエスタを具えることを特徴とする請求項５記載の医療画像ビューイングシステム。
【請求項１２】
前記抽出機を、前記画像ファイルから前記キー情報を抽出するとともに、後処理において前記画像データ及びキー情報を前記関連のデータベースに格納し及び関連させるように構成したことを特徴とする請求項５記載の医療画像ビューイングシステム。
【請求項１３】
リモートビューアを具える医療画像ビューイングシステムであって、
電子画像ファイルを、リモートインタフェースを通じて中央データシステムから受信するよう構成され、その画像ファイルが画像データ及びキー情報を有し、後処理で画像ファイルを受信するよう構成された画像受信機と、
前記画像データ及び前記キー情報を格納し及び関連付けるように構成した関連のデータベースと、
前記画像ファイルからキー情報を抽出するとともに、後処理で前記画像データ及び前記キー情報を関連のデータベースに格納し及び関連付けるように構成した抽出機と、
前記関連のデータベースと通信を行う表示装置と、
前記関連のデータベース及び前記表示装置に結合し、前記表示装置に可視のフォーマットで画像を表示するために、ユーザが前処理で前記関連のデータベースから画像を選択できるようにしたユーザ入力装置と、
前記ユーザ入力装置を用いて画像ファイルが開かれたときに状態メッセージを発生するよう構成された状態メッセージ発生器と、
前記リモートインタフェースを通じて前記中央データシステムに状態メッセージを送信するよう構成した送信機とを具え、
前記状態メッセージ発生器が、前記状態メッセージを前記送信機に送信するように構成したことを特徴とする医療画像ビューイングシステム。
【請求項１４】
前記状態メッセージ発生器が後処理で作動することを特徴とする請求項１３記載の医療画像ビューイングシステム。
【請求項１５】
前記ユーザ入力装置において画像注釈をユーザ入力とともに形成するよう構成した画像ファイルアノテータを更に具えることを特徴とする請求項１３記載の医療画像ビューイングシステム。
【請求項１６】
前記注釈を、画像オーバレイとテキストアタッチメントのうちの少なくとも一方としたことを特徴とする請求項１５記載の医療画像ビューイングシステム。
【請求項１７】
ビューア受信機が、予め設定されたイベントの発生の際に前記画像ファイルを前記ビューア受信機に送信するよう前記中央データセンタに要求するよう構成したリクエスタを更に具えることを特徴とする請求項１３記載の医療画像ビューイングシステム。
【請求項１８】
前記予め設定されたイベントを、予め設定された時間間隔の満了としたことを特徴とする請求項１７記載の医療画像ビューイングシステム。
【請求項１９】
医療画像管理システム用の中央データシステムであって、
キー情報を有する電子医療画像ファイルを、電子医療画像ファイル送信機から受信するよう構成され、その電子医療画像ファイル送信機を、医療イメージング装置に関連させ、キー情報を有する電子画像ファイルを前記中央データシステムに送信するよう配置した、受信機と、
前記電子画像ファイルを、リモートインタフェースを通じて画像ビューアに送信するよう構成した送信機と、
前記電子画像ファイルに関連したキー情報を格納するように配置され、トラッキングデータベースを有する関連のデータベースと、
前記画像ファイルから前記キー情報を抽出し、前記キー情報を前記関連のデータベースに格納し、かつ、前記画像情報を、前記画像ファイルを宛先のリモートビューアに送信する送信機に送信するよう作動する画像記憶及び送出システムとを具え、
前記受信機を、前記画像の送信状態に対応する前記画像ビューアからの状態メッセージを受信するように構成し、前記トラッキングデータベースを、前記画像の送信状態に関連した情報を格納するように構成したことを特徴とする中央データシステム。
【請求項２０】
医療画像管理システム用の中央ファイルシステムであって、
検査の電子的な医療画像ファイルを電子的な医療検査送信機から受信するよう構成され、その画像ファイルが、画像ファイルを独自の検査に関連させる情報を有するキー情報を有し、前記医療画像ファイル送信機を、医療イメージング装置に関連させるとともに、前記キー情報を有する電子的な画像ファイルを中央データシステムに送信する、受信機と、
電子画像ファイルを有する独自の検査を、リモートインタフェースを通じてイメージビューアに送信するよう構成された送信機と、
前記電子的な画像ファイルに関連したキー情報を格納するよう配置され、前記送信機から送信されたトラッキング画像を配置したトラッキングデータベースを有する関連のデータベースと、
前記画像ファイルから前記キー情報を抽出し、前記関連のデータベースに前記キー情報を格納し、前記画像ファイルを、前記画像ファイルを宛先のリモートビューアに送信する送信機に送信するよう作動する画像格納及び送出システムとを具え、
前記受信機を、前記独自の検査の少なくとも一つの画像のビューイング状態に対応する画像ビューアからの状態メッセージを受信するよう構成され、前記トラッキングデータベースを、前記画像のビューイング状態に関連した情報を格納するように構成したことを特徴とする中央ファイルシステム。
【請求項２１】
電子的な医療画像ファイル送信機から、キー情報を有する電子的な医療画像ファイルを受信するように構成された受信機を具え、前記電子的な医療画像ファイル送信機を、医療イメージング装置に関連させるとともに、前記キー情報を有する電子的な画像ファイルを送信するように配置した中央データシステムと、
電子的な画像ファイルを、リモートインタフェースを通じてイメージビューアに送信するように構成された送信機と、
前記電子的な画像ファイルに関連したキー情報を格納するよう配置した関連のデータベースと、
前記キー情報を前記イメージファイルから抽出し、前記キー情報を前記関連のデータベースに格納し、前記画像ファイルを、前記画像ファイルを宛先のリモートビューアに送信する送信機に送信するよう作動する画像格納及び送出論理とを具え、
前記画像ファイルの前記キー情報が、画像ファイルを送出すべきビューアを表す送出情報を有し、前記中央データシステムが、
前記送信機がファイルを前記ビューアに送信する前に、前記画像ファイルに含まれる送出情報に含まれた送出の許可を検証するよう構成した検証システムを更に具えることを特徴とする医療画像ファイル管理システム。
【請求項２２】
前記関連のデータベースが、ビューアに対する合法のアドレスを有するファイルを具え、前記検証システムを、前記画像ファイルに含まれる送出情報に対応するアドレスの存在を検証するよう構成したことを特徴とする請求項２１記載の医療画像ファイル管理システム。
【請求項２３】
前記関連のデータベースが、ファイルを受信するためのビューアの許可を有するファイルを具え、前記検証システムを、前記画像ファイルを受信するためのビューアの許可を検証するよう構成したことを特徴とする請求項３１記載の医療画像ファイル管理システム。
【請求項２４】
電子的な記録を医療イメージング装置から受信し及び格納するよう適合した中央データシステムと、
前記電子的な記録を受信するよう配置したリモートイメージビューイングシステムと、
前記中央データシステムと前記リモート画像ビューイングシステムとの間に配置され、前記中央データシステム及び前記リモートイメージビューイングシステムが通信を行うリモートインタフェースとを具え、
前記リモートイメージビューイングシステムがポーリングシステムを有し、そのポーリングシステムが、イベントが生じたときを識別する内部ポーラと、前記中央データ管理システムと通信を行い、前記イベントが生じたときに、キューされたデータを要求するデータリクエスタとを具えることを特徴とする医療画像管理システム。
【請求項２５】
コンピュータ読出し可能なフォーマットの電子的な記録を第１ロケーションで生成し、その記録が、患者の身体の領域に関連した電子的な画像を有する医療イメージング手段と、
前記電子的な記録を格納する格納手段と、
前記第１ロケーションから離間した第２ロケーションのリモートイメージビューイングシステムに対して、前記電子的な記録をリモートインタフェースに沿ってプッシュするプッシュ手段とを具え、
前記電子的な画像を、認識可能な可視のフォーマットに変換できるように、前記電子的な記録を、開くことができるフォーマットでプッシュすることを特徴とする医療画像管理システム。
【請求項２６】
前記電子的な記録の送信、前記電子的な記録の受信及び前記電子的な記録のビューイングのうちの少なくとも一つに関連した画像ヒストリ記録を維持する画像ヒストリ記録手段を更に具え、
前記画像ヒストリ記録手段が、前記電子的な記録の送信、前記電子的な記録の受信及び前記電子的な記録のビューイングのうちの少なくとも一つに関連した画像ヒストリ記録を維持することを特徴とする請求項２５記載の医療画像管理システム。
【請求項２７】
前記画像ヒストリ記録手段が、
前記第１及び第２ロケーションから離間した第３ロケーションに配置された中央データ管理システムで集中的に画像ヒストリ記録を管理する手段と、
前記中央データ管理システムから前記第１ロケーションのローカルイメージワークステーションまで画像ヒストリ記録の通信を行う通信手段と、
前記第１ロケーションのローカルイメージワークステーションに関連し、前記画像ヒストリ記録を表示する表示手段とを具えることを特徴とする請求項２６記載の医療画像管理システム。
【請求項２８】
前記プッシュ手段が、
前記第１ロケーションに配置され、前記第１及び第２ロケーションから離間した第３ロケーションの中央データ管理システムに前記電子的な記録をプッシュするローカルプッシュ手段と、
前記第３ロケーションの中央データ管理システムに関連し、前記第３ロケーションから、前記第２ロケーションのリモートイメージビューイングシステムに前記電子的な記録をプッシュする中央プッシュ手段とを具えることを特徴とする請求項２５記載の医療画像管理システム。
【請求項２９】
前記プッシュ手段が、
前記第１及び第２ロケーションから離間した第３ロケーションに配置され、前記第１ロケーションから前記電子的な記録を受信するとともに、前記第２ロケーションのリモートイメージビューイングシステムに前記電子的な記録をプッシュする中央データ管理システムを具えることを特徴とする請求項２５記載の医療画像管理システム。
【請求項３０】
前記リモートイメージビューイングシステムに関連し、前記電子的な画像を、認識可能な可視のフォーマットで前記第２ロケーションに表示する表示手段を更に具えることを特徴とする請求項２５記載の医療画像管理システム。